(57)【要約】  【課題】  概ね６０ｄBＡ未満の軽微な音鳴りの発生も防止でき、建物室内の用途が会議室や講堂等のように静粛性を求められる居室であっても、別に天井での遮音対策などを必要とせず、屋根のみで十分な対策が可能な、折板屋根板の熱伸縮に伴う音鳴りの発生防止に極めて有利な折板屋根の音鳴り防止構造を提供する。  【解決手段】  隣接する金属製の折板屋根板４，４の接合端４ａ，４ａ同士を下地材１の上に、折板屋根板４の長さ方向に摺動自在な可動金具６を備えた屋根板支持部材７１を介して支持した折板屋根において、折板屋根板４，４の接合端４ａ，４ａ同士の接触面間に潤滑剤７を備える。潤滑剤７は、固体潤滑剤とそのバインダーからなる乾性被膜潤滑剤である。【選択図】      図１
2006097293.tif 000002
【特許請求の範囲】
【請求項１】
隣接する金属製の折板屋根板の接合端同士を下地材の上に、折板屋根板の長さ方向に摺動自在な可動金具を備えた屋根板支持部材を介して支持した折板屋根において、
前記折板屋根板の接合端同士の接触面間に潤滑剤を備えていることを特徴とする、折板屋根の音鳴り防止構造。
【請求項２】
前記折板屋根板の接合端同士が、一方の折板屋根板の接合端と他方の折板屋根板の接合端とをはぜ締め連結しており、前記接合端同士の接触面間に潤滑剤を備えている、請求項１記載の折板屋根の音鳴り防止構造。
【請求項３】
前記折板屋根板の接合端同士が、一方の折板屋根板の接合端の外側に他方の折板屋根板の接合端を嵌合連結しており、前記接合端同士の接触面間に潤滑剤を備えている、請求項１記載の折板屋根の音鳴り防止構造。
【請求項４】
前記折板屋根板同士が、一方の折板屋根板の接合端と他方の折板屋根板の接合端を互いに突き合せ接合しており、該突き合せ接合面間に潤滑剤を備えている、請求項１記載の折板屋根の音鳴り防止構造。
【請求項５】
前記可動金具と前記折板屋根板の接合端との接触面間にも、前記潤滑剤を備えている、請求項１ないし４のいずれか１項に記載の折板屋根の音鳴り防止構造。
【請求項６】
前記突き合せ接合された接合端同士にキャップが被せられ、このキャップと前記接合端近傍との接触面間にも前記潤滑剤を備えている、請求項４記載の折板屋根の音鳴り防止構造。
【請求項７】
前記潤滑剤が固体潤滑剤とそのバインダーからなる乾性被膜潤滑剤である、請求項１ないし６のいずれか１項に記載の折板屋根の音鳴り防止構造。
【請求項８】
前記潤滑剤が固体潤滑剤としてポリ四フッ化エチレン樹脂粉末を含んでいる、請求項１ないし６のいずれか１項に記載の折板屋根の音鳴り防止構造。
【請求項９】
前記潤滑剤が、下塗りされるポリ四フッ化エチレン樹脂粉末を含まない乾性被膜潤滑剤と、これに上塗りされるポリ四フッ化エチレン樹脂粉末を含む乾性被膜潤滑剤とからなる、請求項１ないし６のいずれか１項に記載の折板屋根の音鳴り防止構造。
【発明の詳細な説明】
【技術分野】
【０００１】
本発明は、二重葺き又は一重葺きの折板屋根において隣接する金属製折板屋根板の接合端同士の温度差による熱伸縮から生じる音鳴り現象を防止する折板屋根板の音鳴り防止構造に関する。
【背景技術】
【０００２】
金属製の折板屋根板は高機能でありながら経済性に優れた屋根であり、特に長尺であることから優れた防水機能を持っている。しかし、その折板屋根板は、長尺であることと、線膨張率が比較的大きいという材料特性上の理由から、熱伸縮に伴い音鳴り現象が発生し、建物使用上の問題が生じる。この音鳴り現象の発生する問題は、折板屋根板が長尺になるほど熱伸縮量が大きくなり、音鳴りの発生する可能性が高くなる。
【０００３】
この折板屋根の音鳴り防止構造として、隣接する金属製の折板屋根板の接合端同士を下地材の上に吊子等の可動金具を含む屋根板支持部材で支持し、前記可動金具を折板屋根板の熱伸縮に対応すべく折板屋根板の長さ方向（棟軒方向）に摺動自在に設けて音鳴りを抑制しようとするものがある（例えば、特許文献１〜４参照。）。
また、隣接する折板屋根板の接合端同士の接触面間に、天然ゴムや合成ゴム、発泡樹脂材などの非金属性軟質材を介在させて折板屋根板の接合端同士の熱伸縮から生じる音鳴りを防止しようとするものがある（例えば、特許文献５〜８参照。）。
【０００４】
【特許文献１】特開平０９−３２８８６９号公報
【特許文献２】特開平１０−３７４０６号公報
【特許文献３】特開２０００−１１０３０７号公報
【特許文献４】特開２００３−１４７９１５号公報
【特許文献５】特開平０９−１８４２５５号公報
【特許文献６】特開平０９−１８４２５７号公報
【特許文献７】特開２０００−１２９８６６号公報
【特許文献８】特開２００２−３３９５２１号公報
【発明の開示】
【発明が解決しようとする課題】
【０００５】
しかるに、隣接する折板屋根板の接合端同士を下地材の上に支持する屋根板支持部材の可動金具を、折板屋根板の熱伸縮に対応すべく摺動自在に設けるだけの上記折板屋根の音鳴り防止構造では、折板屋根板は、日射の照射角度が原因で隣接する折板屋根板が異なる温度変動を示し、これにより隣接する折板屋根板の接合端同士に微小な異なる動きが生じることから摩擦音が発生するが、この摩擦音の問題を解消できない。
【０００６】
また、隣接する折板屋根板の接合端同士の接触面間に、天然ゴムや合成ゴム、発泡樹脂材などの非金属性軟質材を介在させた上記折板屋根の音鳴り防止構造では、隣接する折板屋根板の接合端同士間での摩擦により発生する音は低減されるが、隣接する折板屋根板の接合端同士が下地材の上に緊締金具や支持金具あるいは固定式金具で固定状態に支持されているので、その固定式金具で固定された折板屋根板部分の熱伸縮に伴い蓄積された折板屋根板の内部応力が瞬時に解放されることによる折板屋根板の急激な動きに伴う音の発生問題は解消されない。
【０００７】
本発明者らは、上記のような二つの音鳴り防止対策を組み合わせて実施し、その効果を検証した結果、建物室内の使用上、特に支障となる概ね６０ｄBＡ以上の顕著な音鳴りの発生防止に一定の効果があることは確認しており、建物室内が作業場や一般的な事務室等のようにそれほど静粛性を必要としない用途の場合は有効であると考えられる。
しかしながら、建物室内の用途が会議室や講堂等のように静粛性を求められる居室の場合は、６０ｄBＡ未満の比較的軽微な音でも使用上の支障となり、上記の音鳴り防止技術対策では不十分であり、別に天井での遮音対策などが必要となるという問題がある。
【０００８】
本発明は、このような問題を解決するためになされたものであり、その目的とするところは、概ね６０ｄBＡ未満の軽微な音鳴りの発生も防止でき、建物室内の用途が会議室や講堂等のように静粛性を求められる居室であっても、別に天井での遮音対策などを必要とせず、屋根のみで十分な対策が可能な、折板屋根板の熱伸縮に伴う音鳴りの発生防止に極めて有利な折板屋根の音鳴り防止構造を提供することにある。
【課題を解決するための手段】
【０００９】
上記目的を達成するために、本発明の請求項１に係る発明の折板屋根の音鳴り防止構造は、隣接する金属製の折板屋根板の接合端同士を下地材の上に、折板屋根板の長さ方向に摺動自在な可動金具を備えた屋根板支持部材を介して支持した折板屋根において、前記折板屋根板の接合端同士の接触面間に潤滑剤を備えていることに特徴を有するものである。
【００１０】
この場合において、前記折板屋根板の接合端同士の接合形態としては、請求項２に係る発明のように一方の折板屋根板の接合端と他方の折板屋根板の接合端とをはぜ締め連結したり、請求項３に係る発明のように一方の折板屋根板の接合端の外側に他方の折板屋根板の接合端を嵌合連結したり、あるいは請求項４に係る発明のように一方の折板屋根板の接合端と他方の折板屋根板の接合端を互いに突き合せ接合したりすることができる。
請求項２に記載の発明のように一方の折板屋根板の接合端と他方の折板屋根板の接合端とをはぜ締め連結したり、請求項３に記載の発明のように一方の折板屋根板の接合端の外側に他方の折板屋根板の接合端を嵌合連結したりする場合は、前記接合端同士の接触面間に潤滑剤を備える。請求項４に記載の発明のように一方の折板屋根板の接合端と他方の折板屋根板の接合端を互いに突き合せ接合する場合は該突き合せ接合面間に潤滑剤を備える。
【００１１】
また、請求項５に係る発明のように前記可動金具と前記折板屋根板の接合端との接触面間にも潤滑剤を備えることができる。
【００１２】
請求項６に係る発明の折板屋根の音鳴り防止構造は、請求項４に記載の折板屋根の音鳴り防止構造において、前記突き合せ接合された接合端同士にキャップが被せられ、このキャップと前記接合端近傍との接触面間にも潤滑剤を備えることに特徴を有するものである。
【００１３】
前記潤滑剤としては、請求項７に記載の発明のように、固体潤滑剤とそのバインダーからなる乾性被膜潤滑剤であって、それを上記した所定の潤滑要所に塗布し、乾燥させることにより潤滑被膜が得られる。固体潤滑剤としては、ポリ四フッ化エチレンなどフッ素樹脂系の粉末、二硫化モリブデン粉末、グラファイト粉末、酸化チタン粉末、フッ化カルシウム粉末などである。そのバインダーは硬化して固体潤滑剤の被膜を形成する物質であって、各種有機樹脂系バインダーおよび無機系バインダーである。実際にそれら固体潤滑剤とバインダーの組み合わせによる各種乾性被膜潤滑剤が市販されている。本発明においても、固体潤滑剤、バインダーには各種のものを組み合わせても使用可能であるが、固体潤滑剤としては、特に、請求項８に記載の発明のように、ポリ四フッ化エチレン樹脂粉末を含むことが好ましい。また、このような乾性被膜潤滑剤は、潤滑要所への塗布性の向上を図るためにバインダーを溶解する溶媒により希釈して用いられる。
また、請求項９に記載の発明のように前記潤滑剤としては、下塗りされるポリ四フッ化エチレン樹脂粉末を含まない乾性被膜潤滑剤と、これに上塗りされるポリ四フッ化エチレン樹脂粉末を含む乾性被膜潤滑剤とからなるものを使用することが好ましい。
【発明の効果】
【００１４】
請求項１ないし４に記載の発明によれば、隣接する折板屋根板の接合端同士が熱伸縮により相対摺動しても、該接合端同士の接触面間に備えた潤滑剤による摩擦低減作用により相対摺動による摩擦音の発生を防止できる。また同時に、折板屋根板の接合端同士を下地材の上に折板屋根板の長さ方向に摺動自在な可動金具を備えた屋根板支持部材を介して支持しているので、折板屋根板は可動金具と共に比較的自由に熱伸縮することができ、このため折板屋根板に内部応力が発生し難く、屋根板支持部材による支持固定部分での拘束を超える応力が発生した時の急激な動きに伴う衝撃音を低減でき、顕著な音鳴り発生をも防止できる。このように潤滑剤による摩擦低減作用と可動金具の摺動作用との相乗効果により、折板屋根全体として音鳴り発生を防止する極めて高い効果があり、概ね６０ｄBＡ未満の軽微な音鳴りの発生も防止でき、建物内部が静粛性を求められる用途の場合でも、別に天井等による遮音対策を必要としなくなるに至った。
【００１５】
請求項５に記載の発明によれば、屋根板支持部材の可動金具と折板屋根板の接合端との接触面間にも潤滑剤を備えているので、折板屋根板の接合端と前記可動金具との間での微小な摩擦による摺動音の発生をも抑制することができ、軽微な音鳴り減少効果を更に高めることができる。
【００１６】
請求項６に記載の発明によれば、隣接する折板屋根板の突き合せ接合された接合端とキャップとの接触面間にも潤滑剤を備えているので、折板屋根板の接合端とキャップとの間での微小な摩擦をも低減でき当該箇所での音鳴りを低減することができる。
【００１７】
請求項７に記載の発明によれば、潤滑剤に固体潤滑剤を含む乾性被膜潤滑剤を使用するので、潤滑性、摩擦低減特性と耐熱・耐寒性に優れ、またオイルやグリースのように流れたり塵埃を付着したりすることがない。請求項８に記載の発明のように摩擦係数の小さいポリ四フッ化エチレン樹脂粉末等のフッ素樹脂を使用する場合においては潤滑性、摩擦低減特性と耐熱・耐寒性に優れるとともに長期間にわたりそれら特性を維持することができる。
【００１８】
特に、請求項９に記載の発明のように下塗りされるポリ四フッ化エチレン樹脂粉末を含まない乾性被膜潤滑剤と、これに上塗りされるポリ四フッ化エチレン樹脂粉末を含む乾性被膜潤滑剤の二種類を併用すると、上塗りの乾性被膜潤滑剤で下塗りの乾性被膜潤滑剤が脱落するのを防止でき、上塗りの乾性被膜潤滑剤が経年劣化に伴い脱落しても下塗りの乾性被膜潤滑剤が存在するので、潤滑性をより長期にわたり持続することができる。
【発明を実施するための最良の形態】
【００１９】
本発明の好適な実施形態を図面に基づき説明する。
図１は本発明の一実施例を示す折板屋根の音鳴り防止構造の要部の縦断正面図、図２はその上葺折板屋根板のはぜ締め部分の断面図、図３は音鳴り防止構造に備えた可動金具を含む屋根板支持部材の斜視図である。
この折板屋根の音鳴り防止構造は、はぜ締めタイプの下葺折板屋根１の上に、はぜ締めタイプの上葺折板屋根２を葺いた室内と屋外の温度差が激しい二重葺折板屋根に適用した一実施例を示す。上葺折版屋根２は隣接する金属製の折板屋根板４，４の一方の「３」の数字形状に折り曲げられた接合端（小はぜ）４ａと、他方の円弧形状に折り曲げられた接合端（大はぜ）４ａとをはぜ締め機ではぜ締めして連結してあり、このはぜ締め連結された接合端４ａ，４ａ同士は下葺折板屋根（下地材）１の折板屋根板５，５と同じようにはぜ締めされた接合端５ａ、５ａの上に、折板屋根板４の長さ方向（棟軒方向）に摺動自在な可動金具６を備えた屋根板支持部材７１を介して支持されている。上葺折板屋根２の隣接する折板屋根板４の接合端４ａ，４ａ同士の接触面間には、図２に示すように、摩擦による音の発生を低減する潤滑剤７を備えている。
【００２０】
図１、図３に示すように、屋根板支持部材７１は、下葺折板屋根１の折板屋根板５，５のはぜ締めされた接合端５ａ、５ａを挟持し１対の固定部材８，８と、この固定部材８，８の接合端５ａ，５ａより上方へ延設した固定部材上端部８ａ，８ａ間で挟持される断面Ｔ字形状の断熱部材１０と、断熱部材１０を固定部材上端部８ａ，８ａ間に締め付け固定するボルト・ナット等による締結具９とを備える。断熱部材１０の上部にはレール部１１が一体に形成され、このレール部１１を１対の摺動部材１２，１２で摺動自在に挟持し、この摺動部材１２，１２より上方へ延設した摺動部材上端部１２ａ，１２ａ間で可動金具（吊子）６を挟持しボルト・ナット等による締結具１３で締め付け固定している。上葺折板屋根２の隣接する折板屋根板４，４の接合端４ａ，４ａ同士は可動金具６のフック形状の上端部６ａを挟んではぜ締めされている。因みに、断熱部材１０は、上葺折板屋根２の熱が下葺折板屋根１に伝導するのを遮断するために設けられている。
【００２１】
上葺折板屋根２の隣接する折板屋根板４，４のはぜ締めされた接合端４ａ，４ａ同士を下葺折板屋根（下地材）１の上に折板屋根板４の長さ方向に摺動自在な可動金具６を備えた屋根板支持部材７１で支持しているので、上葺折板屋根２に温度変化が起こって折板屋根板４が熱伸縮すると、屋根板支持部材７１の可動金具６は、折板屋根板４とはぜ締めを介して一体的であるので、折板屋根板４の熱伸縮に伴って、断熱部材１０のレール部１１上を摺動する。この摺動により、折板屋根板４に内部応力が発生し難く、屋根板支持部材７１による支持固定部分での拘束を超える応力が発生した時の急激な動きに伴う音鳴りの発生を防止できる。
【００２２】
潤滑剤７は、隣接する折板屋根板４，４のはぜ締めされる一方の接合端（小はぜ）４ａの外側と、他方の接合端（大はぜ）４ａの内側の双方またはその片方に塗布することで備えられる。これにより隣接する折板屋根板４，４の接合端４ａ，４ａ同士が熱伸縮により相対摺動しても、該接合端４ａ，４ａ同士の接触面間に備えた潤滑剤７による摩擦低減作用により相対摺動による摩擦音の発生を防止できる。
また、可動金具６と折板屋根板４の接合端４ａとの接触面間での摺動摩擦による音の発生を低減するために、図１の部分拡大図に示すように、可動金具６の上端部６ａの内外両面またはその片面にも潤滑剤７を塗布する。
なお、潤滑剤７は塗布するに代えて、図４のように潤滑剤７を発泡シート等の基材１６に塗布し、この基材１６を折板屋根板４の接合端４ａや可動金具６の所定の潤滑箇所に貼付することで備えることもできる。
【００２３】
潤滑剤７は、固体潤滑剤とそのバインダーからなる乾性被膜潤滑剤である潤滑剤の被膜である。いま、使用可能な乾性被膜潤滑剤としては、常温硬化型ポリウレタン樹脂バインダー４重量％と、ポリ四フッ化エチレン樹脂粉末４２重量％と、水５４重量％とからなるポリ四フッ化エチレン樹脂粉末含有の乾性被膜潤滑剤（以下、「乾性被膜潤滑剤Ａ」という。）がある。また、その乾性被膜潤滑剤Ａが上塗りされるポリ四フッ化エチレン樹脂粉末を含まない下塗り用の乾性被膜潤滑剤としては、二硫化モリブデン粉末２０重量％、グラファイト粉末５重量％、ポリブチルチタネート１２重量％、ブチルアセテートとナフサの混合溶媒６３重量％からなる常温硬化型乾性被膜潤滑剤（以下、「乾性被膜潤滑剤Ｂ」という。）がある。これら乾性被膜潤滑剤Ａおよび乾性被膜潤滑剤Ｂは、常温で加熱することもなく３０分〜数時間で硬化し、潤滑被膜を形成することができる。
【００２４】
上記した潤滑剤７は、常温硬化型バインダーを用いることにより、施工現場にて容易に硬化させることができて施工性の向上を図るうえで有利である。常温硬化型バインダーとしては、上記したもの以外に、例えば、アルキッド樹脂、アクリル、シリケートなども使用することができる。しかし、そのような常温硬化型バインダーに限定されるものではなく、フェノール樹脂、エポキシ樹脂、アミドイミド樹脂、イミド樹脂など熱硬化型バインダーを使用することもできる。
潤滑剤７の固体潤滑剤としては、上記ポリ四フッ化エチレン樹脂粉末や二硫化モリブデン粉末、グラファイト粉末以外に、四フッ化エチレン‐エチレン共重合体、フッ化ビニリデン樹脂等のフッ素樹脂系の粉末、酸化チタン粉末、フッ化カルシウム粉末などが挙げられる。
【００２５】
音鳴りの発生している或る建物のはぜ締めタイプの二重葺折板屋根において、実際に上記のように上葺折板屋根２の折板屋根板４，４の接合端４ａ，４ａ同士の接触面間に上記潤滑剤７を塗布し、その折板屋根板４，４の接合端４ａ，４ａ同士を折板屋根板４の長さ方向に摺動自在な可動金具６を備えた屋根板支持部材７１で下葺折板屋根１の上に支持するという対策工事を行って実施した結果、その対策前に最大７５ｄＢＡまでの音鳴りが発生していたのに対し、対策後は５０ｄＢＡ程度の軽微な音鳴りを含め、発生しないことが確認された。
【００２６】
本発明の折板屋根の音鳴り防止構造は、図５〜図７に示すように、はぜ締めタイプの一重葺折板屋根にも適用することができる。この場合、図５に示すように、一重葺折版屋根は隣接する金属製の折板屋根板４，４の接合端４ａ，４ａ同士をはぜ締め連結してあり、このはぜ締めされた接合端４ａ，４ａ同士は梁（下地材）２０の上に、折板屋根板４の長さ方向（棟軒方向）に摺動自在な可動金具（吊子）２１を備えた屋根板支持部材７２を介して支持されている。隣接する折板屋根板４の接合端４ａ，４ａ同士の接触面間には、図７に示すように、上記潤滑剤７を備えている。
【００２７】
屋根板支持部材７２は、梁２０の上に固定した１対の挟持片２２，２２を有する二股形状の固定部材２３と、この固定部材２３の挟持片２２，２２間に下端部が挟持された可動金具２１と、固定部材２３の挟持片２２，２２間に可動金具２１の下端部を締め付け固定したボルト・ナット等による締結具２４とを備える。図６に示すように、可動金具２１には長孔２６が形成され、この長孔２６に締結具２４を遊嵌させることで可動金具２１が折板屋根板４の長さ方向に摺動可能に取り付けられている。図５の部分拡大図に示すように、隣接する折板屋根板４，４の接合端４ａ，４ａ同士は可動金具２１のフック形状の上端部２１ａを挟んではぜ締めされている。
【００２８】
この実施例においても、隣接する折板屋根板４，４のはぜ締めされた接合端４ａ，４ａ同士を梁２０の上に折板屋根板４の長さ方向に摺動自在な可動金具２１を備えた屋根板支持部材７２で支持しているので、折板屋根板４に温度変化が起こって熱伸縮すると、屋根板支持部材７２の可動金具２１は、折板屋根板４とはぜ締めを介して一体的であるので、折板屋根板４の熱伸縮に伴って、固定部材２３上を摺動する。この摺動により、折板屋根板４に内部応力が発生し難く、屋根板支持部材７２による支持固定部分での拘束を超える応力が発生した時の急激な動きに伴う音鳴りの発生を防止できる。
潤滑剤７は、隣接する折板屋根板４，４のはぜ締めされる一方の接合端（小はぜ）４ａの外側と、他方の接合端（大はぜ）４ａの内側の双方またはその片方に塗布することで備えられる。これにより隣接する折板屋根板４，４の接合端４ａ，４ａ同士が熱伸縮により相対摺動しても、該接合端４ａ，４ａ同士の接触面間に備えた潤滑剤７による摩擦低減作用により相対摺動による摩擦音鳴りの発生を防止できる。
また、図５の部分拡大図に示すように、可動金具２１と折板屋根板４の接合端４ａとの接触面間での摺動摩擦による音の発生を低減するために可動金具２１の上端部２１ａの内外両面またはその片面にも上記潤滑剤７を塗布する。
【００２９】
本発明の折板屋根の音鳴り防止構造は、図８〜図１２に示すように、嵌合タイプの下葺折板屋根３１の上に、嵌合タイプの上葺折板屋根３２を葺いた二重葺折板屋根にも適用できる。図８、図９に示すように、上葺折版屋根３２は隣接する金属製の折板屋根板３４，３４の一方の断面山形状に折り曲げられた接合端３４ａの外側に、他方の断面山形状に折り曲げられた接合端３４ａを嵌合して連結してあり、この嵌合された接合端３４ａ，３４ａ同士は下地材としての下葺折板屋根３１の折板屋根板３５，３５の嵌合された接合端３５ａ、３５ａの上に、折板屋根板３４の長さ方向に摺動自在な可動金具３６を備えた屋根板支持部材７３を介して支持されている。上葺折板屋根３２の隣接する折板屋根板３４の接合端３４ａ，３４ａ同士の接触面間には、図１１に示すように、上記潤滑剤７を備えている。
【００３０】
図８、図９に示すように、屋根板支持部材７３は、下葺折板屋根３１の折板屋根板３５，３５の嵌合連結された接合端３５ａ、３５ａを挟持した１対の固定部材３８，３８と、この固定部材３８，３８の接合端３５ａ，３５ａより上方へ延設した固定部材上端部３８ａ，３８ａ間に挟持された合成樹脂製の断熱部材４０と、固定部材上端部３８ａ，３８ａ間に断熱部材４０を締め付け固定したボルト・ナット等による締結具３９とを備える。断熱部材４０の上端面には可動金具３６をボルト・ナット等による締結具４１で摺動自在に取り付けている。可動金具３６はウェブ３６ａ、ウェブ３６ａの両側端から立ち上がるフランジ３６ｂ，３６ｂ、及び各フランジ３６ｂの上端から外側下方へ張り出した係止縁３６ｃを有する断面「ひ」の字形状に形成され、図１０に示すごとくウェブ３６ａには長孔４３が形成され、この長孔４３に締結具４１を遊嵌させることで可動金具３６が断熱部材４０の上端面に折板屋根板３４の長さ方向に摺動可能に取り付けられている。図１２に示すように、上葺折板屋根３２の隣接する折板屋根板３４，３４の嵌合された接合端３４ａ，３４ａ同士は可動金具３６に嵌係合されている。
【００３１】
この実施例においても、隣接する折板屋根板３４，３４の嵌合された接合端３４ａ，３４ａ同士を下葺折板屋根３１の上に折板屋根板３４の長さ方向に摺動自在な可動金具３６を備えた屋根板支持部材７３で支持しているので、折板屋根板３４に温度変化が起こって熱伸縮すると、屋根板支持部材７３の可動金具３６は、折板屋根板３４と嵌係合することで一体的であるので、折板屋根板３４の熱伸縮に伴って、断熱部材４０上を摺動する。この摺動により、折板屋根板３４に内部応力が発生し難く、屋根板支持部材７３との係合固定部分での拘束を超える応力が発生した時の急激な動きに伴う音鳴りの発生を防止できる。
【００３２】
潤滑剤７は、隣接する折板屋根板３４，３４の嵌合される一方の接合端３４ａの外側と、他方の接合端３４ａの内側の双方またはその一方に潤滑剤７を塗布等により備える。これにより隣接する折板屋根板３４，３４の接合端３４ａ，３４ａ同士が熱伸縮により相対摺動しても、潤滑剤７による摩擦低減作用により該接合端３４ａ，３４ａ同士の相対摺動による摩擦音鳴りを防止できる。
また、可動金具３６と折板屋根板３４の接合端３４ａとの接触面間での摺動摩擦による音の発生を低減するために可動金具３６の係止縁３６ｃの外面、又は該接合端３４ａの内側に潤滑剤７を塗布する。
【００３３】
本発明の折板屋根の音鳴り防止構造は、図１３〜図１７に示すように、嵌合タイプの一重葺折板屋根にも適用することができる。この場合、図１３、図１４に示すように、一重葺折版屋根は隣接する金属製の折板屋根板３４，３４の断面山形状に折り曲げられた接合端３４ａ，３４ａ同士を嵌合して連結してあり、この嵌合された接合端３４ａ，３４ａ同士は下地材としての梁２０の上に、折板屋根板３４の長さ方向に摺動自在な可動金具５１を備えた屋根板支持部材７４を介して支持されている。隣接する折板屋根板３４，３４の接合端３４ａ，３４ａ同士の接触面間には、図１６に示すように、上記潤滑剤７を備えている。
【００３４】
図１３、図１４に示すように、屋根板支持部材７４は、梁２０の上に固定され、山形状に折曲形成された固定部材５３と、この固定部材５３の頂部に折板屋根板３４の長さ方向に摺動自在にボルト・ナット等による締結具５４を介して取り付けている、図６の可動金具３６と同じ形状の可動金具５１とを備える。可動金具５１はウェブ５１ａ、ウェブ５１ａの両側端から立ち上がるフランジ５１ｂ，５１ｂ、及び各フランジ５１ｂの上端から外側下方へ張り出した係止縁５１ｃを有する断面「ひ」の字形状に形成され、ウェブ５１ａには長孔５５が形成され、この長孔５５に締結具５４を遊嵌させることで可動金具５１が固定部材５３の頂部上に折板屋根板３４の長さ方向に摺動可能に取り付けられている。図１７に示すように、隣接する折板屋根板３４，３４の接合端３４ａ，３４ａ同士は可動金具５１に嵌係合されている。
【００３５】
この実施例においても、隣接する折板屋根板３４，３４の嵌合連結された接合端３４ａ，３４ａ同士を梁２０の上に可動金具５１を備えた屋根板支持部材７４で支持しているので、折板屋根板３４に温度変化が起こって熱伸縮すると、屋根板支持部材７４の可動金具５１は、折板屋根板３４と嵌係合することで一体的であるので、折板屋根板３４の熱伸縮に伴って、固定部材５３上を摺動する。この摺動により、折板屋根板３４に内部応力が発生し難く、屋根板支持部材７４による支持固定部分での拘束を超える応力が発生した時の急激な動きに伴う音鳴りを防止できる。
【００３６】
潤滑剤７は、隣接する折板屋根板３４，３４の嵌合される一方の接合端３４ａの外側と、他方の接合端３４ａの内側の双方またはその一方に塗布することで備えられる。これにより隣接する折板屋根板３４，３４の接合端３４ａ，３４ａ同士が熱伸縮により相対摺動しても、潤滑剤７による摩擦低減作用により該接合端３４ａ，３４ａ同士の相対摺動による摩擦音鳴りを防止できる。
また、図１７に示すように、可動金具５１の係止縁５１ｃと折板屋根板３４の接合端３４ａとの接触面間での摺動摩擦による音の発生を低減するために可動金具５１の係止縁５１ｃの外面にも潤滑剤７を塗布する。
【００３７】
本発明の折板屋根の音鳴り防止構造は、図１８、図１９に示すように、隣接する折板屋根板６０，６０の一方の接合端６０ａと他方の接合端６０ａを互いに突き合せ接合し、かつ突き合せ接合された接合端６０ａ，６０ａ同士に、折板屋根板６０の長さ方向に長い長尺の断面部分円弧形状のキャップ６１を被せており、この突き合せ接合された接合端６０ａ，６０ａ同士は下地材としての梁２０の上に、折板屋根板６０の長さ方向に摺動自在な可動金具６２を備えた屋根板支持部材７５を介して支持されるという折板屋根の形態にも適用できる。
【００３８】
図１８に示すように、屋根板支持部材７５は、梁２０の上に固定した山形状の固定部材６３と、この固定部材６３の頂部に、ボルト・ナット等による締結具６４で折板屋根板６０の長さ方向に摺動自在に取り付けている、図１３〜図１５の可動金具５１の形状及び取付要領と同じにする可動金具６２とを備える。
図１９に示すように、隣接する折板屋根６０，６０の接合端６０ａ，６０ａ同士の突き合せ接合面間には上記潤滑剤７を備えて接合端６０ａ，６０ａ同士の接触面間での摺動摩擦による音の発生を防止している。また、キャップ６１の内面のみ、又は接合端６０ａ，６０ａ近傍のキャップ６１との接触面及びキャップ６１の内面にも上記潤滑剤７を備えて該キャップ６１と接合端６０ａとの接触面間での摩擦による音鳴りを防止している。さらに、図１８の部分拡大図に示すように、可動金具６２と折板屋根板６０の接合端６０ａとの接触面間での摺動摩擦による音の発生を低減するために、可動金具６２の外面又は接合端６０ａ近傍の可動金具６２との接触面にも潤滑剤７を塗布する。
【図面の簡単な説明】
【００３９】
【図１】本発明の一実施例を示す折板屋根の音鳴り防止構造の要部の縦断正面図である。
【図２】図１の折板屋根板の接合端同士のはぜ締め部分の断面図である。
【図３】図１の音鳴り防止構造に備えた可動金具を含む屋根板支持部材の斜視図である。
【図４】潤滑剤塗布基材の斜視図である。
【図５】他の実施例を示す折板屋根の音鳴り防止構造の要部の縦断正面図である。
【図６】図５の音鳴り防止構造に備えた可動金具の側面図である。
【図７】図５の折板屋根板の接合端同士のはぜ締め部分の断面図である。
【図８】更に他の実施例を示す折板屋根の音鳴り防止構造の要部の縦断正面図である。
【図９】図８の音鳴り防止構造に備えた可動金具を含む屋根板支持部材の側面図である。
【図１０】図８の音鳴り防止構造に備えた可動金具の平面図である。
【図１１】図８の折板屋根板の接合端同士の嵌合部分の断面図である。
【図１２】図８のＡ部における拡大図である。
【図１３】更に又、他の実施例を示す折板屋根の音鳴り防止構造の要部の縦断正面図である。
【図１４】図１３の音鳴り防止構造に備えた可動金具を含む屋根板支持部材の側面図である。
【図１５】図１３の音鳴り防止構造に備えた可動金具を含む屋根板支持部材の平面図である。
【図１６】図１３の折板屋根板の接合端同士の嵌合部分の断面図である。
【図１７】図１３のＢ部における拡大図である。
【図１８】更に又、他の実施例を示す折板屋根の音鳴り防止構造の要部の縦断正面図である。
【図１９】図１８の折板屋根板の接合端同士の突き合せ接合部分及びキャップの断面図である。
【符号の説明】
【００４０】
１，３１  下葺折板屋根（下地材）
４，３４，６０  折板屋根板
４ａ，３４ａ，６０ａ  接合端
７１〜７５  屋根板支持部材
６，２１，３６，５１，６２  可動金具
７  潤滑剤
２０  梁（下地材）
６１  キャップ
【図１】
2006097293.tif 000003
【図２】
2006097293.tif 000004
【図３】
2006097293.tif 000005
【図４】
2006097293.tif 000006
【図５】
2006097293.tif 000007
【図６】
2006097293.tif 000008
【図７】
2006097293.tif 000009
【図８】
2006097293.tif 000010
【図９】
2006097293.tif 000011
【図１０】
2006097293.tif 000012
【図１１】
2006097293.tif 000013
【図１２】
2006097293.tif 000014
【図１３】
2006097293.tif 000015
【図１４】
2006097293.tif 000016
【図１５】
2006097293.tif 000017
【図１６】
2006097293.tif 000018
【図１７】
2006097293.tif 000019
【図１８】
2006097293.tif 000020
【図１９】
2006097293.tif 000021